(57)【要約】【課題】視聴者の興味にあわせた電力制御により不要な電力消費を削減することができる放送受信機、電力制御方法、および、プログラムを提供する。【解決手段】嗜好プロファイル管理部１８には複数の判定用パターンデータが登録されている。解析部１２は、番組受信部１１により受信された番組（受信番組）の映像データを解析して解析用パターンデータを出力する。番組内容判定部１３は、複数の判定用パターンデータの中から解析用パターンデータに一致するものが存在するか否かを判定する。番組出力部１５は、解析用パターンデータに一致する判定用パターンデータが嗜好プロファイル管理部１８に登録されている場合に電力制御部１４の制御により通常電力で受信番組を出力し、解析用パターンデータに一致する判定用パターンデータが嗜好プロファイル管理部１８に登録されていない場合に電力制御部１４の制御により省電力で受信番組を出力する。【選択図】図１
2014027625.tif 000002
【特許請求の範囲】
【請求項１】
特定の画像、特定の音声、特定のキーワードのいずれかを表す複数の判定用パターンデータが登録された嗜好プロファイル管理部と、
番組を受信する番組受信部と、
前記番組受信部により受信された番組である受信番組の映像データを解析して、その解析結果として画像、音声、キーワードのいずれかを表す解析用パターンデータを出力する解析部と、
前記嗜好プロファイル管理部に登録された前記複数の判定用パターンデータの中から、前記解析部から出力された解析用パターンデータに一致する判定用パターンデータが存在するか否かを判定する番組内容判定部と、
前記解析部から出力された解析用パターンデータに一致する判定用パターンデータが前記嗜好プロファイル管理部に登録されている場合に通常電力モード信号を出力し、前記解析部から出力された解析用パターンデータに一致する判定用パターンデータが前記嗜好プロファイル管理部に登録されていない場合に省電力モード信号を出力する電力制御部と、
前記通常電力モード信号に応じて、視聴者により現在設定されている通常電力で前記受信番組を出力し、前記省電力モード信号に応じて、前記通常電力から所定電力だけ低下させた省電力で前記受信番組を出力する番組出力部と、
を具備することを特徴とする放送受信機。
【請求項２】
視聴者が前記受信番組を視聴中に視聴者にとって興味のあるシーンであるときに視聴者により操作されるプロファイル登録用操作部と、
視聴者により前記プロファイル登録用操作部が操作された場合、前記番組受信部により前記受信番組が受信されているときに前記解析部から出力され、かつ、視聴者により前記プロファイル登録用操作部が操作された時刻における解析用パターンデータを判定用パターンデータとし、その判定用パターンデータを前記嗜好プロファイル管理部に登録するプロファイル自動保存制御部と、
をさらに具備することを特徴とする請求項１に記載の放送受信機。
【請求項３】
視聴者が前記受信番組を視聴中に視聴者にとって興味のないシーンであるときに視聴者により操作されるプロファイル削除用操作部と、
視聴者により前記プロファイル削除用操作部が操作された場合、前記番組受信部により前記受信番組が受信されているときに前記解析部から出力され、かつ、視聴者により前記プロファイル削除用操作部が操作された時刻における解析用パターンデータを削除用パターンデータとし、前記複数の判定用パターンデータの中から、前記削除用パターンデータに一致する判定用パターンデータを前記嗜好プロファイル管理部から削除するプロファイル自動削除制御部と、
をさらに具備することを特徴とする請求項２に記載の放送受信機。
【請求項４】
前記電力制御部は、視聴者が前記受信番組を視聴中に前記省電力で前記受信番組が出力されている状態を解除するときに視聴者により前記プロファイル登録用操作部が操作された場合、前記省電力モード信号に代えて前記通常電力モード信号を前記番組出力部に出力することを特徴とする請求項２または３に記載の放送受信機。
【請求項５】
前記プロファイル自動保存制御部は、視聴者が前記受信番組を視聴中に前記省電力で前記受信番組が出力されている状態を解除するときに視聴者により前記プロファイル登録用操作部が操作された場合、前記番組受信部により前記受信番組が受信されているときに前記解析部から出力され、かつ、視聴者により前記プロファイル登録用操作部が操作された時刻における解析用パターンデータを判定用パターンデータとし、その判定用パターンデータを前記嗜好プロファイル管理部に登録する、
ことを特徴とする請求項４に記載の放送受信機。
【請求項６】
特定の画像、特定の音声、特定のキーワードのいずれかを表す複数の判定用パターンデータを記憶部に登録するステップと、
番組を受信する受信ステップと、
前記受信ステップにより受信された番組である受信番組の映像データを解析して、その解析結果として画像、音声、キーワードのいずれかを表す解析用パターンデータを出力する解析ステップと、
前記複数の判定用パターンデータの中から、前記解析ステップから出力された解析用パターンデータに一致する判定用パターンデータが存在するか否かを判定するステップと、
前記解析ステップから出力された解析用パターンデータに一致する判定用パターンデータが前記記憶部に登録されている場合、視聴者により現在設定されている通常電力で、前記受信番組を出力するステップと、
前記解析ステップから出力された解析用パターンデータに一致する判定用パターンデータが前記記憶部に登録されていない場合、前記通常電力から所定電力だけ低下させた省電力で前記受信番組を出力するステップと、
を具備することを特徴とする放送受信機を用いた電力制御方法。
【請求項７】
請求項６に記載の電力制御方法の各ステップを放送受信機に実行させるためのプログラム。
【発明の詳細な説明】
【技術分野】
【０００１】
本発明は、放送局から受信した番組を出力する際に電力制御を行う放送受信機、電力制御方法、および、プログラムに関する。
【背景技術】
【０００２】
放送受信機は、放送局から番組を受信し、その番組（受信番組）を出力することにより、視聴者は受信番組を視聴することができる。この場合、放送受信機は受信番組を出力するときに電力を消費する。そのため、省電力化を実現する技術が注目されている。
【０００３】
特許文献１に記載された技術では、人感センサが視聴者を感知しているときに、ＬＥＤ（Ｌｉｇｈｔ  Ｅｍｉｔｔｉｎｇ  Ｄｉｏｄｅ）やＬＣＤ（Ｌｉｑｕｉｄ  Ｃｒｙｓｔａｌ  Ｄｉｓｐｌａｙ）などの表示機能により、視聴者により現在設定されている電力（以下、通常電力と称する）で受信番組を出力する。一方、人感センサが視聴者を感知していていないときに表示機能を停止させる。これにより、省電力化を図っている。
【０００４】
特許文献２および３に記載された技術では、バッテリ電源の残存容量を監視し、バッテリ電源の残存容量の値が閾値よりも大きいときに通常電力で受信番組を出力する。一方、バッテリ電源の残存容量の値が閾値以下になったときに通常電力よりも低い電力で受信番組を出力する。これにより、バッテリ電源の使用可能な時間（寿命）を極力長くすると共に省電力化を図っている。
【０００５】
また、特許文献４および５には、受信番組内で盛り上がったシーンを選択して再生することにより、視聴者が受信番組を短時間で効率的に視聴することができる技術が記載されている。
【先行技術文献】
【特許文献】
【０００６】
【特許文献１】特開２０１０−２７３１８４号公報
【特許文献２】特開２００８−１２４６４６号公報
【特許文献３】特開２００８−０３４９２４号公報
【特許文献４】特開２００７−０９６４９１号公報
【特許文献５】特開２００６−０１３７９６号公報
【発明の概要】
【発明が解決しようとする課題】
【０００７】
特許文献１に記載された技術では、人感センサが視聴者を感知しているときに通常電力で受信番組を出力する。しかし、視聴者が興味のないシーンが放送されている時間帯でも、通常電力で受信番組を出力する。このため、人感センサが視聴者を感知している間は省電力化が実現されない。
【０００８】
特許文献２および３に記載された技術では、バッテリ電源の残存容量の値が閾値以下になるまで省電力化が実現されない。
【０００９】
特許文献４および５に記載された技術では、受信番組内で盛り上がったシーンと視聴者の興味とが一致しているとは限らない。
【００１０】
本発明は、上記の点に鑑みてなされたものであり、視聴者の興味にあわせた電力制御により不要な電力消費を削減することができる放送受信機、電力制御方法、および、プログラムを提供することを目的とする。
【課題を解決するための手段】
【００１１】
本発明の放送受信機は、特定の画像、特定の音声、特定のキーワードのいずれかを表す複数の判定用パターンデータが登録された嗜好プロファイル管理部と、番組を受信する番組受信部と、前記番組受信部により受信された番組である受信番組の映像データを解析して、その解析結果として画像、音声、キーワードのいずれかを表す解析用パターンデータを出力する解析部と、前記嗜好プロファイル管理部に登録された前記複数の判定用パターンデータの中から、前記解析部から出力された解析用パターンデータに一致する判定用パターンデータが存在するか否かを判定する番組内容判定部と、前記解析部から出力された解析用パターンデータに一致する判定用パターンデータが前記嗜好プロファイル管理部に登録されている場合に通常電力モード信号を出力し、前記解析部から出力された解析用パターンデータに一致する判定用パターンデータが前記嗜好プロファイル管理部に登録されていない場合に省電力モード信号を出力する電力制御部と、前記通常電力モード信号に応じて、視聴者により現在設定されている通常電力で前記受信番組を出力し、前記省電力モード信号に応じて、前記通常電力から所定電力だけ低下させた省電力で前記受信番組を出力する番組出力部と、を具備することを特徴とする。
【００１２】
本発明の放送受信機を用いた電力制御方法は、特定の画像、特定の音声、特定のキーワードのいずれかを表す複数の判定用パターンデータを記憶部に登録するステップと、番組を受信する受信ステップと、前記受信ステップにより受信された番組である受信番組の映像データを解析して、その解析結果として画像、音声、キーワードのいずれかを表す解析用パターンデータを出力する解析ステップと、前記複数の判定用パターンデータの中から、前記解析ステップから出力された解析用パターンデータに一致する判定用パターンデータが存在するか否かを判定するステップと、前記解析ステップから出力された解析用パターンデータに一致する判定用パターンデータが前記記憶部に登録されている場合、視聴者により現在設定されている通常電力で、前記受信番組を出力するステップと、前記解析ステップから出力された解析用パターンデータに一致する判定用パターンデータが前記記憶部に登録されていない場合、前記通常電力から所定電力だけ低下させた省電力で前記受信番組を出力するステップと、を具備することを特徴とする。
【００１３】
本発明のプログラムは、上記電力制御方法の各ステップを放送受信機に実行させる。
【発明の効果】
【００１４】
本発明によれば、視聴者の興味にあわせた電力制御により、視聴者にとって興味のないシーンが続く限り、不要な電力消費を削減することができる。
【図面の簡単な説明】
【００１５】
【図１】本実施形態の放送受信機の構成を示す概略ブロック図である。
【図２】本実施形態の放送受信機の構成を示す概略ブロック図である。
【図３】本実施形態に係る放送受信機の嗜好プロファイル管理部に登録される嗜好プロファイルの一例を示す図である。
【図４】本実施形態に係る放送受信機の動作として事前処理を示すフローチャートである。
【図５】本実施形態に係る放送受信機の動作として、事前処理の後に行われる視聴中処理を示すフローチャートである。
【図６】本実施形態に係る放送受信機の解析部による変換例を示す図である。
【図７】本実施形態に係る放送受信機の解析部による変換例を示す図である。
【図８】本実施形態に係る放送受信機の解析部による変換例を示す図である。
【図９】本実施形態に係る放送受信機の解析部による変換例を示す図である。
【図１０】本実施形態に係る放送受信機の動作として、視聴中処理の通常電力モードまたは省電力モード時に行われるイベント処理を示すフローチャートである。
【図１１】本実施形態に係る放送受信機の動作として、視聴中処理の省電力モード時に行われる省電力モード解除処理を示すフローチャートである。
【発明を実施するための形態】
【００１６】
以下、図面を参照しながら本発明の実施形態について説明する。本実施形態に係る放送受信機は、据え置き型テレビ、携帯電話機、スマートフォン、カーナビゲーションなどに適用される。
【００１７】
図１および図２は、本実施形態に係る放送受信機１の構成を示す概略ブロック図である。本実施形態に係る放送受信機１は、制御部１０と、制御部１０にバスを介して接続された各種処理部と、を具備している。
【００１８】
各種処理部は、番組受信部１１、解析部１２、番組内容判定部１３、電力制御部１４、番組出力部１５、入力部１６、記憶部１７、プロファイル入力保存制御部１９、プロファイル登録用操作部２０、プロファイル自動保存制御部２１、プロファイル削除用操作部２２、プロファイル自動削除制御部２３を含んでいる。
【００１９】
制御部１０は各種処理部に対して制御を行う。制御部１０は、例えばＣＰＵ（Ｃｅｎｔｒａｌ  Ｐｒｏｃｅｓｓｉｎｇ  Ｕｎｉｔ）等から構成されている。
【００２０】
番組受信部１１は、放送局から番組を受信する。番組受信部１１は、チューナ部１１１と、デマルチプレクサ部１１２と、映像デコード部１１３と、音声デコード部１１４と、を備えている。
【００２１】
チューナ部１１１は、放送局から放送波により番組を受信して放送ＴＳ（Ｔｒａｎｓｐｏｒｔ  Ｓｔｒｅａｍ）に変換する。デマルチプレクサ部１１２は、チューナ部１１１から出力された放送ＴＳを映像ＥＳ（Ｅｌｅｍｅｎｔｒｙ  Ｓｔｒｅａｍ）と音声ＥＳとに分離する。映像デコード部１１３は、デマルチプレクサ部１１２から出力された映像ＥＳをデコードし、受信番組の映像を表す映像データとして番組出力部１５に出力する。音声デコード部１１４は、デマルチプレクサ部１１２から出力された音声ＥＳをデコードし、受信番組の音声を表す音声データとして番組出力部１５に出力する。
【００２２】
記憶部１７は、嗜好プロファイル管理部１８を備えている。嗜好プロファイル管理部１８には、視聴者の嗜好を表す嗜好プロファイルとして、各々異なる複数の判定用パターンデータが登録されている。複数の判定用パターンデータの各々は、特定の画像、特定の音声、特定のキーワードのいずれかを表している。
【００２３】
特定の画像や特定の音声としては、例えば、俳優、アイドル、スポーツ選手、コメディアン等の有名人が挙げられる。視聴者が好む有名人であるか否かについては顔認識技術や音声認識技術を適用することにより実現する。顔認識技術を適用する場合、特定の画像には有名人の顔が写されている必要がある。特定のキーワードとしては、例えば、「政治」、「経済」、「ランキング」、「電化製品」等の用語が挙げられる。
【００２４】
解析部１２は、番組受信部１１により受信された番組（以下、受信番組と称する）を解析する。解析部１２は、映像解析部１２１と、音声解析部１２２と、を備えている。
【００２５】
映像解析部１２１は、映像デコード部１１３から出力された映像データを解析し、その解析結果として画像、キーワードのいずれかを表す解析用パターンデータを出力する。音声解析部１２２は、音声デコード部１１４から出力された音声データを解析して、その解析結果として音声、キーワードのいずれかを表す解析用パターンデータを出力する。
【００２６】
番組内容判定部１３は、嗜好プロファイル管理部１８に登録された複数の判定用パターンデータの中から、解析部１２から出力された解析用パターンデータに一致する判定用パターンデータが存在するか否かを判定する。
【００２７】
電力制御部１４は、解析用パターンデータに一致する判定用パターンデータが嗜好プロファイル管理部１８に登録されている場合に通常電力モード信号ＳＩＧ１を番組出力部１５に出力し、解析用パターンデータに一致する判定用パターンデータが嗜好プロファイル管理部１８に登録されていない場合に省電力モード信号ＳＩＧ２を番組出力部１５に出力する。
【００２８】
番組出力部１５は、通常電力モード信号ＳＩＧ１に応じて、視聴者により現在設定されている通常電力で受信番組を出力し、省電力モード信号ＳＩＧ２に応じて、通常電力から所定電力だけ低下させた省電力で受信番組を出力する。
【００２９】
番組出力部１５は、映像出力部１５１と、音声出力部１５２と、を備えている。映像出力部１５１は、映像デコード部１１３から出力された映像データを表示する。音声出力部１５２は、音声デコード部１１４から出力された音声データを出力する。
【００３０】
入力部１６は、特定の画像、特定の音声、および、特定のキーワードのいずれかを表す入力データを入力する。
【００３１】
プロファイル入力保存制御部１９は、入力部１６から入力される入力データを判定用パターンデータとして嗜好プロファイル管理部１８に登録する。
【００３２】
プロファイル登録用操作部２０は、視聴者が受信番組を視聴中に視聴者にとって興味のあるシーンであるときに視聴者により操作される。プロファイル登録用操作部２０は、音声のボリュームを上げるためのボリュームアップボタンでもよいし、ボリュームアップボタンとは異なる専用のボタンでもよい。
【００３３】
プロファイル自動保存制御部２１は、視聴者が受信番組を視聴中に視聴者にとって興味のあるシーンであるときに視聴者によりプロファイル登録用操作部２０が操作された場合、プロファイル登録用操作部２０の操作に応じた判定用パターンデータを嗜好プロファイル管理部１８に登録する。
【００３４】
プロファイル削除用操作部２２は、視聴者が受信番組を視聴中に視聴者にとって興味のないシーンであるときに視聴者により操作される。プロファイル削除用操作部２２は、音声のボリュームを下げるためのボリュームダウンボタンでもよいし、ボリュームダウンボタンとは異なる専用のボタンでもよい。
【００３５】
プロファイル自動削除制御部２３は、視聴者が受信番組を視聴中に視聴者にとって興味のないシーンであるときに視聴者によりプロファイル削除用操作部２２が操作された場合、プロファイル削除用操作部２２の操作に応じた判定用パターンデータを嗜好プロファイル管理部１８から削除する。
【００３６】
また、プロファイル登録用操作部２０は、視聴者が受信番組を視聴中に省電力で受信番組が出力されている状態を解除するときに視聴者により操作される。
【００３７】
プロファイル自動保存制御部２１は、視聴者が受信番組を視聴中に省電力で受信番組が出力されている状態を解除するときに視聴者によりプロファイル登録用操作部２０が操作された場合、プロファイル登録用操作部２０の操作に応じた判定用パターンデータを嗜好プロファイル管理部１８に登録する。
【００３８】
図３は、本実施形態に係る放送受信機１の嗜好プロファイル管理部１８に登録される嗜好プロファイルの一例を示す図である。視聴者が興味のある文言（キーワード）を準備し、手動で嗜好プロファイル（判定用パターンデータ）として嗜好プロファイル管理部１８に登録する。ここで、テキスト要素（特定のキーワード）が嗜好プロファイルとして嗜好プロファイル管理部１８に登録される場合（図３参照）について説明する。
【００３９】
図４は、本実施形態に係る放送受信機１の動作（電力制御方法）として、事前処理を示すフローチャートである。
【００４０】
視聴者は、入力部１６を用いて、特定のキーワードとして文字列（例えば「経済用語」の“株価”、“為替”、“決算”等）を表す入力データを入力する（ステップＳ１１）。
【００４１】
プロファイル入力保存制御部１９は、入力部１６から入力される「経済用語」の文字列を表す入力データをテキストデータに変換する。プロファイル入力保存制御部１９は、「経済用語」の文字列を識別するための管理番号「○○○△△」および名称と共に、そのテキストデータを判定用パターンデータ「“株価”、“為替”、“決算”」として嗜好プロファイル管理部１８に登録する（ステップＳ１２）。
【００４２】
視聴者が興味のある画像要素（特定の画像）、音声要素（特定の音声）については、後述の視聴中処理時に行われるイベント処理のときに嗜好プロファイル（判定用パターンデータ）として嗜好プロファイル管理部１８に登録される。まず、視聴中処理について説明する。
【００４３】
図５は、本実施形態に係る放送受信機１の動作として、事前処理の後に行われる視聴中処理を示すフローチャートである。
【００４４】
番組受信部１１において、チューナ部１１１は、放送局から放送波により番組を受信して放送ＴＳに変換する（ステップＳ２１）。デマルチプレクサ部１１２は、チューナ部１１１から出力された放送ＴＳを映像ＥＳと音声ＥＳとに分離する（ステップＳ２２）。映像デコード部１１３は、デマルチプレクサ部１１２から出力された映像ＥＳをデコードし、受信番組の映像を表す映像データとして番組出力部１５に出力する。音声デコード部１１４は、デマルチプレクサ部１１２から出力された音声ＥＳをデコードし、受信番組の音声を表す音声データとして番組出力部１５に出力する（ステップＳ２３）。
【００４５】
解析部１２は、受信番組を解析し、その解析結果として画像、音声、キーワードのいずれかを表す解析用パターンデータを出力する（ステップＳ２４）。受信番組から解析用パターンデータへの変換について具体的に説明する。図６〜図９は、本実施形態に係る放送受信機１の解析部１２による変換例を示す図である。
【００４６】
図６に示されるように、解析部１２の映像解析部１２１は、画像特徴ベクトル計算部１２１１を備えている。画像特徴ベクトル計算部１２１１は、映像デコード部１１３から出力された映像データを顔認識により画像特徴ベクトルに変換して、その画像特徴ベクトルを解析用パターンデータとして番組内容判定部１３に出力する。
【００４７】
図７に示されるように、解析部１２の音声解析部１２２は、音声特徴ベクトル計算部１２２１を備えている。音声特徴ベクトル計算部１２２１は、音声デコード部１１４から出力された音声データを音声認識により音声特徴ベクトルに変換して、その音声特徴ベクトルを解析用パターンデータとして番組内容判定部１３に出力する。
【００４８】
図８に示されるように、映像解析部１２１は、さらに、ＯＣＲ（Ｏｐｔｉｃａｌ  Ｃｈａｒａｃｔｅｒ  Ｒｅｃｏｇｎｉｔｉｏｎ）エンジン１２１２を備えている。ＯＣＲエンジン１２１２は、映像デコード部１１３から出力された映像データに含まれる文字列を抽出し、その文字列をテキストデータに変換して、そのテキストデータを解析用パターンデータとして番組内容判定部１３に出力する。
【００４９】
図９に示されるように、音声解析部１２２は、さらに、言語解析エンジン１２２２を備えている。言語解析エンジン１２２２は、音声デコード部１１４から出力された音声データを音声認識により文字列に変換し、その文字列をテキストデータに変換して、そのテキストデータを解析用パターンデータとして番組内容判定部１３に出力する。
【００５０】
番組内容判定部１３は、解析部１２から出力された解析用パターンデータを入力する。このとき、図５に示されるように、番組内容判定部１３は、嗜好プロファイル管理部１８に登録された複数の判定用パターンデータの中から、解析部１２から出力された解析用パターンデータに一致する判定用パターンデータが存在するか否かを判定して、その結果を表す判定結果を出力する（ステップＳ２５）。
【００５１】
ここで、判定結果として、解析部１２から出力された解析用パターンデータに一致する判定用パターンデータが嗜好プロファイル管理部１８に登録されている場合（ステップＳ２６−Ｙｅｓ）、電力制御部１４は、通常電力モード信号ＳＩＧ１を番組出力部１５に出力する。番組出力部１５は、通常電力モード信号ＳＩＧ１に応じて、通常電力モードを実施する（ステップＳ２７）。
【００５２】
通常電力モードにおいて、番組出力部１５は、視聴者により現在設定されている通常電力で受信番組を出力する。この場合、番組出力部１５の映像出力部１５１は、映像デコード部１１３から出力された映像データを通常電力として通常の輝度で表示し、音声出力部１５２は、音声デコード部１１４から出力された音声データを通常電力として通常のボリュームにより出力する。
【００５３】
一方、判定結果として、解析部１２から出力された解析用パターンデータに一致する判定用パターンデータが嗜好プロファイル管理部１８に登録されていない場合（ステップＳ２６−Ｎｏ）、電力制御部１４は、通常電力モードが実施されてから所定時間が経過していることを確認して（ステップＳ２８−Ｙｅｓ）、省電力モード信号ＳＩＧ２を番組出力部１５に出力する。所定時間については後述する。番組出力部１５は、省電力モード信号ＳＩＧ２に応じて、省電力モードを実施する（ステップＳ２９）。
【００５４】
省電力モードにおいて、番組出力部１５は、通常電力から所定電力だけ低下させた省電力で受信番組を出力する。この場合、番組出力部１５の映像出力部１５１は、映像デコード部１１３から出力された映像データを通常の輝度から所定輝度だけ低下させた輝度で表示し、音声出力部１５２は、音声デコード部１１４から出力された音声データを通常のボリュームから所定ボリュームだけ低下させたボリュームで出力する。このように、本実施形態に係る放送受信機１は、視聴者にとって興味のないシーンが続く限り、不要な電力消費を削減することができる。
【００５５】
受信番組において解析用パターンデータと判定用パターンデータとが一致する時間帯が短いことにより通常電力モードと省電力モードとの切り替えが頻発した場合、視聴者が受信番組を視聴する際に煩わしさを感じてしまう。その対策として、電力制御部１４は、通常電力モードが実施されてから所定時間をカウントするカウンタ（図示しない）を備えている。視聴者は、入力部１６を用いて、所定時間として５秒、１０秒などの任意の時間を電力制御部１４に対して設定することができる。電力制御部１４は、番組出力部１５への出力を省電力モード信号ＳＩＧ２から通常電力モード信号ＳＩＧ１に切り替えた後に、解析部１２から出力された解析用パターンデータに一致する判定用パターンデータが嗜好プロファイル管理部１８に登録されていない場合（ステップＳ２６−Ｎｏ）、所定時間が経過するまで通常電力モード信号ＳＩＧ１を出力し（ステップＳ２８−Ｎｏ）、所定時間が経過したときに省電力モード信号ＳＩＧ２を番組出力部１５に出力する。番組出力部１５は、省電力モード信号ＳＩＧ２に応じて、省電力モードを実施する（ステップＳ２９）。
【００５６】
通常電力モードまたは省電力モードが実施されているときに、視聴者が受信番組を視聴中である場合（ステップＳ３０−Ｙｅｓ）、視聴中処理はステップＳ２１に戻る。視聴者が電源をオフして番組の視聴をやめる場合（ステップＳ３０−Ｎｏ）、視聴中処理は終了する。
【００５７】
視聴者は、嗜好プロファイル（判定用パターンデータ）を嗜好プロファイル管理部１８に登録しているが、通常電力モードまたは省電力モードにおいて受信番組を視聴しているときに、嗜好プロファイル管理部１８に登録したり、嗜好プロファイル管理部１８から削除したりすることもできる。
【００５８】
図１０は、本実施形態に係る放送受信機１の動作として、視聴中処理の通常電力モードまたは省電力モード時に行われるイベント処理を示すフローチャートである。
【００５９】
通常電力モードまたは省電力モードにおいて、視聴者は、受信番組を視聴中に視聴者にとって興味のあるシーンが放送されているときにプロファイル登録用操作部２０を操作する。ここで、プロファイル登録用操作部２０がボリュームアップボタンである場合、視聴者によるプロファイル登録用操作部２０の操作に応じて音声のボリュームが上げられる。
【００６０】
そこで、視聴者によりプロファイル登録用操作部２０が操作された場合（ステップＳ４１−Ｎｏ、Ｓ４２−Ｙｅｓ）、プロファイル自動保存制御部２１は、番組受信部１１により受信番組が受信されているときに解析部１２から出力され、かつ、視聴者によりプロファイル登録用操作部２０が操作された時刻における解析用パターンデータ（画像、音声、キーワードのいずれか）を判定用パターンデータとする。プロファイル自動保存制御部２１は、その判定用パターンデータを嗜好プロファイル管理部１８に登録する（ステップＳ４３）。
【００６１】
例えば、ステップＳ４３において、画像要素（特定の画像）として「俳優Ａ」の顔が嗜好プロファイル管理部１８に登録される（図３参照）。この場合、プロファイル自動保存制御部２１は、番組受信部１１により受信番組が受信されているときに解析部１２から出力され、かつ、視聴者によりプロファイル登録用操作部２０が操作された時刻における解析用パターンデータ（「俳優Ａ」の画像）を判定用パターンデータとする。プロファイル自動保存制御部２１は、「俳優Ａ」の画像を識別するための管理番号「○○○○○」および名称と共に、その画像特徴ベクトルを判定用パターンデータ「ベクトルデータＩ１」として嗜好プロファイル管理部１８に登録する。
【００６２】
例えば、ステップＳ４３において、音声要素（特定の音声）として「アイドルＣ」の音声が嗜好プロファイル管理部１８に登録される（図３参照）。この場合、プロファイル自動保存制御部２１は、番組受信部１１により受信番組が受信されているときに解析部１２から出力され、かつ、視聴者によりプロファイル登録用操作部２０が操作された時刻における解析用パターンデータ（「アイドルＣ」の音声）を判定用パターンデータとする。プロファイル自動保存制御部２１は、「アイドルＣ」の音声を識別するための管理番号「○○○○△」および名称と共に、その音声特徴ベクトルを判定用パターンデータ「ベクトルデータＳ１」として嗜好プロファイル管理部１８に登録する。
【００６３】
通常電力モードまたは省電力モードにおいて、視聴者は、受信番組を視聴中に視聴者にとって興味のないシーンが放送されているときにプロファイル削除用操作部２２を操作する。ここで、プロファイル削除用操作部２２がボリュームダウンボタンである場合、視聴者によるプロファイル削除用操作部２２の操作に応じて音声のボリュームが下げられる。
【００６４】
そこで、視聴者によりプロファイル削除用操作部２２が操作された場合（ステップＳ４１−Ｙｅｓ）、プロファイル自動削除制御部２３は、番組受信部１１により受信番組が受信されているときに解析部１２から出力され、かつ、視聴者によりプロファイル削除用操作部２２が操作された時刻における解析用パターンデータ（画像、音声、キーワードのいずれか）を削除用パターンデータとし、複数の判定用パターンデータの中から、削除用パターンデータに一致する判定用パターンデータ（特定の画像、特定の音声、特定のキーワードのいずれか）を嗜好プロファイル管理部１８から削除する（ステップＳ４４）。
【００６５】
本実施形態に係る放送受信機１では視聴者の興味に応じて通常電力モードまたは省電力モードに切り替えて受信番組を出力しているが、視聴者は省電力モードを解除することもできる。
【００６６】
図１１は、本実施形態に係る放送受信機１の動作として、視聴中処理の省電力モード時に行われる省電力モード解除処理を示すフローチャートである。
【００６７】
例えば、省電力モードにおいて、視聴者は、受信番組を視聴中に視聴者にとって興味のあるシーンが放送されているときにプロファイル登録用操作部２０を操作する（ステップＳ５１−Ｙｅｓ）。
【００６８】
この場合、プロファイル自動保存制御部２１は、番組受信部１１により受信番組が受信されているときに解析部１２から出力され、かつ、視聴者によりプロファイル登録用操作部２０が操作された時刻における解析用パターンデータ（画像、音声、キーワードのいずれか）を判定用パターンデータとし、その判定用パターンデータを嗜好プロファイル管理部１８に登録する（ステップＳ５２）。次に、電力制御部１４は、省電力モード信号ＳＩＧ２に代えて通常電力モード信号ＳＩＧ１を番組出力部１５に出力する（ステップＳ５３）。
【００６９】
ここで、プロファイル登録用操作部２０が音声のボリュームを上げるためのボタンである場合、ステップＳ５１およびＳ５２はそれぞれ上述のステップＳ４２およびＳ４３と同一の処理である。
【００７０】
以上の説明により、本実施形態に係る放送受信機１では、特定の画像、特定の音声、特定のキーワードのいずれかを表す複数の判定用パターンデータを嗜好プロファイル管理部１８に登録しておき、番組受信部１１は放送局から番組を受信し、解析部１２の映像解析部１２１は、番組受信部１１により受信された番組である受信番組の映像データを解析して、その解析結果として画像、キーワードのいずれかを表す解析用パターンデータを出力し、音声解析部１２２は、受信番組の音声データを解析して、その解析結果として音声、キーワードのいずれかを表す解析用パターンデータを出力し、番組内容判定部１３は、嗜好プロファイル管理部１８に登録された複数の判定用パターンデータの中から、解析部１２から出力された解析用パターンデータに一致する判定用パターンデータが存在するか否かを判定する。そこで、電力制御部１４は、解析部１２から出力された解析用パターンデータに一致する判定用パターンデータが嗜好プロファイル管理部１８に登録されている場合に通常電力モード信号ＳＩＧ１を出力し、解析部１２から出力された解析用パターンデータに一致する判定用パターンデータが嗜好プロファイル管理部１８に登録されていない場合に省電力モード信号ＳＩＧ２を出力し、番組出力部１５は、通常電力モード信号ＳＩＧ１に応じて、視聴者により現在設定されている通常電力で受信番組を出力し、省電力モード信号ＳＩＧ２に応じて、通常電力から所定電力だけ低下させた省電力で受信番組を出力する。このように、本実施形態に係る放送受信機１では、嗜好プロファイル（判定用パターンデータ）を登録しておくことにより、視聴者が興味のあるシーンに対して、視聴者により現在設定されている通常電力で受信番組を出力し、視聴者が興味のないシーンに対して省電力で受信番組を出力している。したがって、本実施形態に係る放送受信機１は、視聴者の興味にあわせた電力制御を行うことにより、視聴者にとって興味のないシーンが続く限り、不要な電力消費を削減することができる。
【００７１】
また、本実施形態に係る放送受信機１では、視聴者が受信番組を視聴中に視聴者にとって興味のあるシーンであるときにプロファイル登録用操作部２０を操作した場合、プロファイル自動保存制御部２１は、番組受信部１１により受信番組が受信されているときに解析部１２から出力され、かつ、視聴者によりプロファイル登録用操作部２０が操作された時刻における解析用パターンデータを判定用パターンデータとし、その判定用パターンデータを嗜好プロファイル管理部１８に登録する。このように、本実施形態に係る放送受信機１では、視聴者によるプロファイル登録用操作部２０の操作に応じて、判定用パターンデータを嗜好プロファイル管理部１８に登録することもできる。
【００７２】
また、本実施形態に係る放送受信機１では、視聴者が受信番組を視聴中に視聴者にとって興味のないシーンであるときにプロファイル削除用操作部２２を操作した場合、プロファイル自動削除制御部２３は、番組受信部１１により受信番組が受信されているときに解析部１２から出力され、かつ、視聴者によりプロファイル削除用操作部２２が操作された時刻における解析用パターンデータを削除用パターンデータとし、複数の判定用パターンデータの中から、削除用パターンデータに一致する判定用パターンデータを嗜好プロファイル管理部１８から削除する。このように、本実施形態に係る放送受信機１では、視聴者によるプロファイル削除用操作部２２の操作に応じて、該当する判定用パターンデータを嗜好プロファイル管理部１８から削除することもできる。
【００７３】
また、本実施形態に係る放送受信機１では、視聴者が受信番組を視聴中に省電力で受信番組が出力されている状態を解除するときにプロファイル登録用操作部２０を操作した場合、電力制御部１４は、省電力モード信号ＳＩＧ２に代えて通常電力モード信号ＳＩＧ１を番組出力部１５に出力する。このように、本実施形態に係る放送受信機１では、視聴者の都合により省電力で受信番組を出力している状態（省電力モード）を解除することもできる。
【００７４】
また、本実施形態に係る放送受信機１では、視聴者がプロファイル登録用操作部２０を操作した場合、プロファイル自動保存制御部２１は、番組受信部１１により受信番組が受信されているときに解析部１２から出力され、かつ、視聴者によりプロファイル登録用操作部２０が操作された時刻における解析用パターンデータを判定用パターンデータとし、その判定用パターンデータを嗜好プロファイル管理部１８に登録する。このように、本実施形態に係る放送受信機１では、視聴者が省電力モードを解除した場合は視聴者が興味のあるシーンである可能性があるため、該当する判定用パターンデータを嗜好プロファイル管理部１８に登録することが好ましい。
【００７５】
また、本実施形態に係る放送受信機１では、受信番組において解析用パターンデータと判定用パターンデータとが一致する時間帯が短いことにより通常電力モードと省電力モードとの切り替えが頻発した場合、視聴者が受信番組を視聴する際に煩わしさを感じてしまう。これを解消するために、本実施形態に係る放送受信機１では、電力制御部１４は、番組出力部１５への出力を省電力モード信号ＳＩＧ２から通常電力モード信号ＳＩＧ１に切り替えた後に、解析用パターンデータに一致する判定用パターンデータが嗜好プロファイル管理部１８に登録されていない場合、所定時間が経過するまで通常電力モード信号ＳＩＧ１を出力し、所定時間が経過したときに省電力モード信号ＳＩＧ２を番組出力部１５に出力することが好ましい。
【００７６】
なお、本実施形態に係る放送受信機１では、視聴中処理（ステップＳ２１〜Ｓ２３）において、番組受信部１１は放送局から番組を受信しているが、これに限定されない。番組受信部１１はインターネット経由で番組を受信してもよい。例えば、本実施形態に係る放送受信機１が、サーバによってコンテンツを配信するＩＰマルチキャスト放送に適用される場合、コンテンツは上述の番組に対応し、サーバは上述の放送局に対応する。
【００７７】
また、本実施形態に係る放送受信機１では、視聴中処理（ステップＳ２４）において、解析部１２が受信番組を解析する際、映像解析部１２１が映像データを解析し、その解析結果として画像、キーワードのいずれかを表す解析用パターンデータを出力し、音声解析部１２２が音声データを解析して、その解析結果として音声、キーワードのいずれかを表す解析用パターンデータを出力しているが、これに限定されない。例えばキーワードに関しては、以下に示す（例１）〜（例３）が挙げられる。
（例１）番組受信部１１は、放送局またはインターネット経由で、番組表を表す番組情報を受信し、解析部１２は、受信番組を解析する際、その番組情報から受信番組内のキーワードを取得してもよい。この場合、解析部１２は、番組情報を解析し、その解析結果として受信番組内のキーワードを表す解析用パターンデータを出力する。
（例２）番組受信部１１は、放送局またはインターネット経由で、字幕／文字スーパーを表す文字情報を受信し、解析部１２は、受信番組を解析する際、その文字情報から受信番組内のキーワードを取得してもよい。この場合、解析部１２は、文字情報を解析し、その解析結果として受信番組内のキーワードを表す解析用パターンデータを出力する。
（例３）番組受信部１１は、放送局またはインターネット経由で、データ放送を表すＢＭＬ（Ｂｒｏａｄｃａｓｔ  Ｍａｒｋｕｐ  Ｌａｎｇｕａｇｅ）情報を受信し、解析部１２は、受信番組を解析する際、そのＢＭＬ情報から受信番組内のキーワードを取得してもよい。この場合、解析部１２は、ＢＭＬ情報を解析し、その解析結果として受信番組内のキーワードを表す解析用パターンデータを出力する。
【００７８】
また、本実施形態に係る放送受信機１では、事前処理（ステップＳ１１、Ｓ１２）において、視聴者が興味のある文言（キーワード）を準備し、手動で嗜好プロファイル（判定用パターンデータ）として嗜好プロファイル管理部１８に登録し、イベント処理のときに、特定の画像、特定の音声を嗜好プロファイル（判定用パターンデータ）として嗜好プロファイル管理部１８に登録しているが、これに限定されない。例えば画像に関しては、視聴者が興味のある画像を準備し、手動で嗜好プロファイル（判定用パターンデータ）として嗜好プロファイル管理部１８に登録することもできる。この場合、ステップＳ１１において、視聴者は、入力部１６を用いて、放送受信機１をインターネットに接続し、インターネット上の視聴者のお気に入りのサイトやページの画像の中から、視聴者が興味のある画像（特定の画像）を入力データとする。ステップＳ１２において、プロファイル入力保存制御部１９は、例えば画像特徴ベクトル計算部１２１１と同じ機能を有し、入力部１６から入力される特定の画像を表す入力データを上記機能により画像特徴ベクトルに変換し、特定の画像を識別するための管理番号および名称と共に、その画像特徴ベクトルを判定用パターンデータとして嗜好プロファイル管理部１８に登録する。
【００７９】
また、本実施形態に係る放送受信機１では、番組出力部１５は、視聴中処理の通常電力モード（ステップＳ２７）において、映像データを通常の輝度で表示し、音声データを通常のボリュームにより出力し、省電力モード（ステップＳ２９）において、映像データを通常の輝度から所定輝度だけ低下させた輝度で表示し、音声データを通常のボリュームから所定ボリュームだけ低下させたボリュームで出力しているが、これに限定されない。例えば、本実施形態に係る放送受信機１の映像出力部１５１が液晶ディスプレイである場合、番組出力部１５は、視聴中処理の通常電力モード（ステップＳ２７）において、映像出力部１５１へのバックライトを点灯し、省電力モード（ステップＳ２９）において、バックライトを消灯してもよい。この場合、バックライトの点灯／消灯の切り替えを例えばボリュームの調整と組み合わせてもよい。
【００８０】
また、本実施形態に係る放送受信機１では、番組出力部１５は、省電力モード（ステップＳ２９）において、映像データに対する輝度の低下／バックライトの消灯や、音声データに対するボリュームの低下に限定されず、例えば、番組出力部１５は、省電力モード（ステップＳ２９）において、映像データおよび音声データのデコードを間引きしてもよい。すなわち、映像データを通常のフレーム数より所定枚数だけ削減したフレーム数で表示し、それに対応して音声データを出力してもよい。また、デコードを間引きする場合、ＣＰＵのクロック数を通常のクロック数よりも所定クロック数だけ低下させてもよい。ＣＰＵのクロック数が低下した場合、番組出力部１５によるデコードが通常よりも間に合わなくなり、映像データは通常のフレーム数より所定枚数だけ削減したフレーム数で表示され、それに対応して音声データが出力される。この場合、所定クロック数は所定枚数に対応して設定される。
【００８１】
また、本実施形態に係る放送受信機１では、番組出力部１５は、省電力モード（ステップＳ２９）において、映像データに対する輝度の低下／バックライトの消灯や、音声データに対するボリュームの低下や、映像データ／音声データのデコード間引きに限定されず、例えば、番組出力部１５は、省電力モード（ステップＳ２９）において、映像データに使用される色数を制限してもよい。すなわち、映像データを通常の色数より所定色数だけ削減した色数で表示してもよい。例えば、赤色、桃色、茶色は赤色により表示され、青色、紺色、水色は青色により表示されるなど、色数が制限される。
【００８２】
また、本実施形態に係る放送受信機１では、プロファイル登録用操作部２０は、音声のボリュームを上げるためのボリュームアップボタンとしているが、これに限定されない。例えば、プロファイル登録用操作部２０は、映像データに対する輝度を上げるための画面輝度アップボタンでもよい。視聴者が受信番組を視聴中に視聴者にとって興味のあるシーンであるときに視聴者により画面輝度アップボタンが操作された場合、ステップＳ４３において、プロファイル自動保存制御部２１は、画面輝度アップボタンの操作に応じて判定用パターンデータを嗜好プロファイル管理部１８に登録する。視聴者が受信番組を視聴中に省電力モードを解除するときに視聴者により画面輝度アップボタンが操作された場合、ステップＳ５２において、プロファイル自動保存制御部２１は、画面輝度アップボタンの操作に応じて判定用パターンデータを嗜好プロファイル管理部１８に登録し、ステップＳ５３において、電力制御部１４は、省電力モード信号ＳＩＧ２に代えて通常電力モード信号ＳＩＧ１を番組出力部１５に出力する。
【００８３】
また、本実施形態に係る放送受信機１では、プロファイル登録用操作部２０は、ボリュームアップボタン／画面輝度アップボタンの操作としているが、これに限定されない。例えば、本実施形態に係る放送受信機１では、携帯端末などの標準仕様として、一定時間経過後に画面輝度が低下させる場合、タッチパネルのタッチ操作などにより画面輝度を回復させる機能を有し、映像出力部１５１はタッチパネル形式のディスプレイであり、プロファイル登録用操作部２０は、画面輝度を回復させるときにタッチ操作（画面輝度アップ操作）されるタッチパネルでもよい。画面輝度を回復させるときに視聴者により画面輝度アップ操作が行われた場合、ステップＳ４３において、プロファイル自動保存制御部２１は、画面輝度アップ操作に応じて判定用パターンデータを嗜好プロファイル管理部１８に登録する。視聴者が受信番組を視聴中に省電力モードを解除するときに画面輝度アップ操作が行われた場合、ステップＳ５２において、プロファイル自動保存制御部２１は、画面輝度アップ操作に応じて判定用パターンデータを嗜好プロファイル管理部１８に登録し、ステップＳ５３において、電力制御部１４は、省電力モード信号ＳＩＧ２に代えて通常電力モード信号ＳＩＧ１を番組出力部１５に出力する。
【００８４】
また、本実施形態に係る放送受信機１では、プロファイル登録用操作部２０は、ボリュームアップボタン／画面輝度アップボタンの操作や、画面輝度アップ操作としているが、これに限定されない。例えば、本実施形態に係る放送受信機１が音声操作可能な端末である場合、プロファイル登録用操作部２０は、視聴者が受信番組を視聴中に省電力モードを解除するときに視聴者による音声入力を受け付ける機能を有していてもよい。視聴者が受信番組を視聴中に省電力モードを解除するときに視聴者により音声入力が行われた場合、ステップＳ５２において、プロファイル自動保存制御部２１は、音声入力に応じて判定用パターンデータを嗜好プロファイル管理部１８に登録し、ステップＳ５３において、電力制御部１４は、省電力モード信号ＳＩＧ２に代えて通常電力モード信号ＳＩＧ１を番組出力部１５に出力する。
【００８５】
また、本実施形態に係る放送受信機１では、プロファイル削除用操作部２２は、音声のボリュームを下げるためのボリュームダウンボタンとしているが、これに限定されない。例えば、プロファイル削除用操作部２２は、映像データに対する輝度を下げるための画面輝度ダウンボタンでもよい。視聴者が受信番組を視聴中に視聴者にとって興味のないシーンであるときに視聴者により画面輝度ダウンボタンが操作された場合、ステップＳ４４において、プロファイル自動削除制御部２３は、画面輝度ダウンボタンの操作に応じて該当する判定用パターンデータを嗜好プロファイル管理部１８から削除する。
【００８６】
また、本実施形態に係る放送受信機１では、視聴者は、受信番組を視聴中に通常電力モードから省電力モードに設定するときに、画面輝度ダウンボタンを操作してもよい。この場合、プロファイル自動削除制御部２３は、画面輝度ダウンボタンの操作に応じて該当する判定用パターンデータを嗜好プロファイル管理部１８から削除するとともに、電力制御部１４は、通常電力モード信号ＳＩＧ１に代えて省電力モード信号ＳＩＧ２を番組出力部１５に出力する。
【００８７】
また、本実施形態に係る放送受信機１では、プロファイル削除用操作部２２は、ボリュームダウンボタン／画面輝度ダウンボタンの操作としているが、これに限定されない。例えば、本実施形態に係る放送受信機１が音声操作可能な端末である場合、プロファイル削除用操作部２２は、視聴者が受信番組を視聴中に通常電力モードから省電力モードに設定するときに視聴者による音声入力を受け付ける機能を有していてもよい。視聴者が受信番組を視聴中に通常電力モードから省電力モードに設定するときに視聴者により音声入力が行われた場合、プロファイル自動削除制御部２３は、音声入力に応じて該当する判定用パターンデータを嗜好プロファイル管理部１８から削除するとともに、電力制御部１４は、通常電力モード信号ＳＩＧ１に代えて省電力モード信号ＳＩＧ２を番組出力部１５に出力する。
【００８８】
また、本実施形態に係る放送受信機１では、プロファイル削除用操作部２２は、ボリュームダウンボタン／画面輝度ダウンボタンの操作や、音声入力を受け付ける機能としているが、これに限定されない。例えば、本実施形態に係る放送受信機１では、人感センサ付きの端末であり、プロファイル削除用操作部２２は、人感センサによって視聴者が存在するか否かを判定する機能を有していてもよい。視聴者が存在しない場合、プロファイル自動削除制御部２３は、音声入力に応じて該当する判定用パターンデータを嗜好プロファイル管理部１８から削除するとともに、電力制御部１４は、通常電力モード信号ＳＩＧ１に代えて省電力モード信号ＳＩＧ２を番組出力部１５に出力する。
【００８９】
以上、この発明の実施形態について図面を参照して詳述してきたが、具体的な構成は実施形態に限られるものではなく、この発明の要旨を逸脱しない範囲の設計等も特許請求の範囲に含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記実施形態に記載された要素であり、同様の効果を奏する要素同士を置換した構成も含まれる。
【００９０】
本実施形態に係る放送受信機１で動作するコンピュータプログラム（以下、プログラムと称する）は、本発明に関わる上記実施形態の機能を実現するように、ＣＰＵ等を制御するプログラム（コンピュータを機能させるプログラム）である。そして、これら装置で取り扱われる情報は、その処理的に一時的にＲＡＭに蓄積され、その後、各種ＲＯＭやＨＤＤに格納され、必要に応じてＣＰＵによって読み出し、修正・書き込みが行われる。プログラムを格納する記録媒体としては、半導体媒体（例えば、ＲＯＭ、不揮発性メモリカード等）、光記憶媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上記した実施形態の機能が実現されるだけでなく、そのプログラムの指示に基づき、オペレーティングシステムあるいは他のアプリケーションプログラム等と共同して処理することにより、本発明の機能が実現される場合もある。
【００９１】
また市場に流通させる場合には、可搬型の記録媒体にプログラムを格納して流通させたり、インターネット等のネットワークを介して接続されたサーバコンピュータに転送したりすることができる。この場合、サーバコンピュータの記録装置も本発明に含まれる。また、上述した実施形態における送信局装置および受信局装置の一部、または全部を典型機能ブロックは個別にプロセッサ化してもよいし、一部、または全部を集積してプロセッサ化してもよい。また、集積回路化の手法はＬＳＩに限らず専用回路、または汎用プロセッサで実現しても良い。また、半導体技術の進歩によりＬＳＩに代替する集積回路化の技術が実現した場合、該当技術による集積回路を用いることも可能である。
【符号の説明】
【００９２】
１  放送受信機
１０  制御部
１１  番組受信部
１２  解析部
１３  番組内容判定部
１４  電力制御部
１５  番組出力部
１６  入力部
１７  記憶部
１８  嗜好プロファイル管理部
１９  プロファイル入力保存制御部
２０  プロファイル登録用操作部
２１  プロファイル自動保存制御部
２２  プロファイル削除用操作部
２３  プロファイル自動削除制御部
１１１  チューナ部
１１２  デマルチプレクサ部
１１３  映像デコード部
１１４  音声デコード部
１２１  映像解析部
１２２  音声解析部
１２１１  画像特徴ベクトル計算部
１２１２  ＯＣＲエンジン
１２２１  音声特徴ベクトル計算部
１２２２  言語解析エンジン
【図１】
2014027625.tif 000003
【図２】
2014027625.tif 000004
【図３】
2014027625.tif 000005
【図４】
2014027625.tif 000006
【図５】
2014027625.tif 000007
【図６】
2014027625.tif 000008
【図７】
2014027625.tif 000009
【図８】
2014027625.tif 000010
【図９】
2014027625.tif 000011
【図１０】
2014027625.tif 000012
【図１１】
2014027625.tif 000013